(57)【要約】【課題】  入力操作の自由度が高く、ユーザの意図した入力位置を検出することができる入力装置および表示装置を提供する。【解決手段】  入力装置１００は、絶縁体３を介して対向する第１タッチパネル１と第２タッチパネル２とを有する２層構造の抵抗膜式入力装置である。入力装置１００において算出部５は、第１検出部４Ａが第１抵抗膜体１１と第２抵抗膜体１２とが接触状態であると検出し、かつ第２検出部４Ｂが第３抵抗膜体２１と第４抵抗膜体２２とが非接触状態であると検出した場合に、第１抵抗膜体１１と第２抵抗膜体１２とが相互に接触する接触位置を指示入力の位置として算出する。さらに算出部５は、第１検出部４Ａが接触状態であると検出し、かつ第２検出部４Ｂが接触状態であると検出した場合に、第３抵抗膜体２１と第４抵抗膜体２２とが相互に接触する接触位置を指示入力の位置として算出する。【選択図】      図５
2013206170.tif 000002
【特許請求の範囲】
【請求項１】
押圧力が付与されることで入力がなされる入力装置において、
前記押圧力が付与される平板状の第１抵抗膜体と、該第１抵抗膜体に対して所定の第１間隔をあけて対向配置される平板状の第２抵抗膜体とを有する第１タッチパネルと、
前記第１タッチパネルに対して対向配置される第２タッチパネルであって、平板状の第３抵抗膜体と、該第３抵抗膜体に対して所定の第２間隔をあけて対向配置される平板状の第４抵抗膜体とを有する第２タッチパネルと、
前記第１タッチパネルと前記第２タッチパネルとの間に配置され、電気的絶縁性を有する絶縁体と、
前記第１抵抗膜体に押圧力が付与されたときに、前記第１抵抗膜体と前記第２抵抗膜体とが接触しているか否かを検出する第１検出部と、
前記第１抵抗膜体に押圧力が付与されたときに、前記第３抵抗膜体と前記第４抵抗膜体とが接触しているか否かを検出する第２検出部と、
前記第１検出部が前記第１抵抗膜体と前記第２抵抗膜体との接触を検出し、かつ前記第２検出部が前記第３抵抗膜体と前記第４抵抗膜体との接触を検出しなかった場合には、前記第１抵抗膜体と前記第２抵抗膜体との接触位置の座標データを算出し、
前記第１検出部が前記第１抵抗膜体と前記第２抵抗膜体との接触を検出し、かつ前記第２検出部が前記第３抵抗膜体と前記第４抵抗膜体との接触を検出した場合には、前記第３抵抗膜体と前記第４抵抗膜体との接触位置の座標データのみを算出する算出部と、
前記算出部が算出した座標データを記憶する記憶部とを備えることを特徴とする入力装置。
【請求項２】
前記第２間隔は、前記第１間隔よりも大きいことを特徴とする請求項１に記載の入力装置。
【請求項３】
前記第１抵抗膜体と前記第２抵抗膜体との間に、所定の等間隔をあけて配置される複数の第１スペーサ部材と、
前記第３抵抗膜体と前記第４抵抗膜体との間に、所定の等間隔をあけて配置される複数の第２スペーサ部材とを備え、
前記複数の第２スペーサ部材の配置間隔は、前記複数の第１スペーサ部材の配置間隔よりも小さいことを特徴とする請求項１または２に記載の入力装置。
【請求項４】
前記算出部は、前記第１抵抗膜体および前記第２抵抗膜体のいずれか一方の抵抗膜体、または、前記第３抵抗膜体および前記第４抵抗膜体のいずれか一方の抵抗膜体に電圧を印加しながら、他方の抵抗膜体から検出される電圧に基づいて、前記第１抵抗膜体と前記第２抵抗膜体との接触位置の座標データ、または、前記第３抵抗膜体と前記第４抵抗膜体との接触位置の座標データを算出することを特徴とする請求項１〜３のいずれか１つに記載の入力装置。
【請求項５】
請求項１〜４のいずれか１つに記載の入力装置と、
前記入力装置の前記第２タッチパネルに対して対向配置され、前記記憶部から前記座標データを取出して、該座標データに基づく画像を表示する表示部と、を備えることを特徴とする表示装置。
【発明の詳細な説明】
【技術分野】
【０００１】
本発明は、抵抗膜式の入力装置および表示装置に関する。
【背景技術】
【０００２】
従来から、導電性のタッチペンや指でパネル表面に触れることで、その触れた位置を検出することができる、抵抗膜式のタッチパネル入力装置が知られている。抵抗膜式のタッチパネル入力装置は、押圧力が付与される第１抵抗膜体と、該第１抵抗膜体に対して間隔をあけて対向配置される第２抵抗膜体と、第１抵抗膜体と第２抵抗膜体との間に配置される複数のドットスペーサとを含んで構成される。
【０００３】
このようなタッチパネル入力装置では、第１抵抗膜体に電圧を印加し、第２抵抗膜体における複数の部位で電圧を検出する。そして、タッチパネル入力装置では、第１抵抗膜体が押圧されることにより、第１抵抗膜体と第２抵抗膜体とが相互に接触し、それにより各部位で検出している電圧がそれぞれ変化することを利用して、接触位置の座標の検出が行われる。
【０００４】
ドットスペーサは、押圧による入力操作がなされていない非入力状態において、第１抵抗膜体と第２抵抗膜体とが接触することを防止するとともに、当該ドットスペーサの面方向における配置間隔、またはドットスペーサの高さの設定により、抵抗膜体同士が接触するのに必要な押圧力（以下、「接触必要押圧力」ということもある）を調整することができる。接触必要押圧力は、ドットスペーサの配置間隔が狭くなるにつれて大きくなり、ドットスペーサの高さが高くなるにつれて大きくなる。
【０００５】
このようなドットスペーサの機能を利用して、タッチペンによる入力操作や指による入力操作のように、単位面積あたりの荷重が異なる入力操作がなされた場合であっても、指による入力操作時のスムーズな入力操作性を確保するとともに、ユーザの意図しない入力位置を検出してしまうことを防止することができるタッチパネル入力装置が検討されている。
【０００６】
たとえば、特許文献１には、タッチペンによる入力操作が想定された入力領域と、指による入力操作が想定された入力領域とを有するタッチパネル入力装置が開示されている。この特許文献１に開示されるタッチパネル入力装置では、タッチペンによる入力操作が想定された入力領域（以下、「タッチペン入力領域」という）に配置されるドットスペーサが、指による入力操作が想定された入力領域（以下、「指入力領域」という）に配置されるドットスペーサよりも、高さが高く設定されている。すなわち、タッチペン入力領域における接触必要押圧力は、指入力領域よりも大きい。
【０００７】
これによって、タッチペン入力領域に対するタッチペンによる入力操作において、タッチペン以外の手の一部が、ユーザの意図に反して第１抵抗膜体に触れてしまった場合であっても、タッチペンによる入力操作の入力位置を検出することができるとともに、タッチペン以外の手の一部の接触位置を入力位置として検出してしまうことを防止することができる。これは、手の一部は、タッチペンと比較して柔らかく、また、広い面積で第１抵抗膜体に接触するものであるので、高さの高いドットスペーサが配置されたタッチペン入力領域では、手の一部による第１抵抗膜体に対する押圧力が、接触必要押圧力よりも小さいためである。
【０００８】
また、指入力領域では、高さの低いドットスペーサが配置されており、タッチペン入力領域よりも接触必要押圧力が小さくなっているので、比較的小さい押圧力の、指による入力操作であっても、入力操作時のスムーズな入力操作性を確保して入力操作の入力位置を検出することができる。
【０００９】
しかしながら、上記のような特許文献１に開示されるタッチパネル入力装置では、押圧力が付与される第１抵抗膜体が、タッチペン入力領域と指入力領域とに対応して、２つの領域に分けられることになるので、ユーザにとって、第１抵抗膜体に対する入力操作の自由度に制限が生じてしまう。
【００１０】
このような問題点を解決する方法として、特許文献２には、押圧力が付与される第１タッチパネルと、該第１タッチパネルに対して間隔をあけて対向配置される第２タッチパネルとを備えるタッチパネル入力装置が開示されている。この特許文献２に開示されるタッチパネル入力装置において、前記第１タッチパネルおよび前記第２タッチパネルは、それぞれ、互いに間隔をあけて対向配置される２つの抵抗膜体を有する。
【００１１】
このような、２つのタッチパネルである第１タッチパネルと第２タッチパネルとが重合された２層構造のタッチパネル入力装置では、各タッチパネルにおける抵抗膜体間の接触必要押圧力は、押圧力が直接付与される上層側の第１タッチパネルが、下層側の第２タッチパネルよりも小さくなる。すなわち、２層構造のタッチパネル入力装置において、入力操作の入力位置を検出するための接触必要押圧力は、押圧力が直接付与される第１タッチパネルの面方向に一定で、厚み方向に異なるようになっている。
【００１２】
２層構造のタッチパネル入力装置では、第１タッチパネルの面方向に接触必要押圧力が一定となっているので、第１タッチパネルに対する入力操作の自由度に制限が生じない。さらに、接触必要押圧力が小さい上層側の第１タッチパネルによって、指による入力操作時のスムーズな入力操作性を確保して入力操作の入力位置を検出し、下層側の第２タッチパネルによって、比較的大きい押圧力の、タッチペンによる入力操作の入力位置を検出することができる。
【先行技術文献】
【特許文献】
【００１３】
【特許文献１】特開昭６１−１６３５２０号公報
【特許文献２】特開２００１−２２２３７８号公報
【発明の概要】
【発明が解決しようとする課題】
【００１４】
しかしながら、特許文献２に開示される２層構造のタッチパネル入力装置では、タッチペンによる入力操作において、タッチペン以外の手の一部が、ユーザの意図に反して第１タッチパネルに触れてしまった場合、第１タッチパネルにおける抵抗膜体間の接触必要押圧力が比較的小さいので、タッチペン以外の手の一部の接触位置を入力位置として検出してしまう。
【００１５】
したがって本発明の目的は、単位面積あたりの荷重が異なる入力操作がなされた場合であっても、入力操作の自由度が高く、ユーザの意図した入力位置を検出することができる入力装置および表示装置を提供することである。
【課題を解決するための手段】
【００１６】
本発明は、押圧力が付与されることで入力がなされる入力装置において、
前記押圧力が付与される平板状の第１抵抗膜体と、該第１抵抗膜体に対して所定の第１間隔をあけて対向配置される平板状の第２抵抗膜体とを有する第１タッチパネルと、
前記第１タッチパネルに対して対向配置される第２タッチパネルであって、平板状の第３抵抗膜体と、該第３抵抗膜体に対して所定の第２間隔をあけて対向配置される平板状の第４抵抗膜体とを有する第２タッチパネルと、
前記第１タッチパネルと前記第２タッチパネルとの間に配置され、電気的絶縁性を有する絶縁体と、
前記第１抵抗膜体に押圧力が付与されたときに、前記第１抵抗膜体と前記第２抵抗膜体とが接触しているか否かを検出する第１検出部と、
前記第１抵抗膜体に押圧力が付与されたときに、前記第３抵抗膜体と前記第４抵抗膜体とが接触しているか否かを検出する第２検出部と、
前記第１検出部が前記第１抵抗膜体と前記第２抵抗膜体との接触を検出し、かつ前記第２検出部が前記第３抵抗膜体と前記第４抵抗膜体との接触を検出しなかった場合には、前記第１抵抗膜体と前記第２抵抗膜体との接触位置の座標データを算出し、
前記第１検出部が前記第１抵抗膜体と前記第２抵抗膜体との接触を検出し、かつ前記第２検出部が前記第３抵抗膜体と前記第４抵抗膜体との接触を検出した場合には、前記第３抵抗膜体と前記第４抵抗膜体との接触位置の座標データのみを算出する算出部と、
前記算出部が算出した座標データを記憶する記憶部とを備えることを特徴とする入力装置である。
【００１７】
また本発明の入力装置において、前記第２間隔は、前記第１間隔よりも大きいことを特徴とする。
【００１８】
また本発明の入力装置は、前記第１抵抗膜体と前記第２抵抗膜体との間に、所定の等間隔をあけて配置される複数の第１スペーサ部材と、
前記第３抵抗膜体と前記第４抵抗膜体との間に、所定の等間隔をあけて配置される複数の第２スペーサ部材とを備え、
前記複数の第２スペーサ部材の配置間隔は、前記複数の第１スペーサ部材の配置間隔よりも小さいことを特徴とする。
【００１９】
また本発明の入力装置において、前記算出部は、前記第１抵抗膜体および前記第２抵抗膜体のいずれか一方の抵抗膜体、または、前記第３抵抗膜体および前記第４抵抗膜体のいずれか一方の抵抗膜体に電圧を印加しながら、他方の抵抗膜体から検出される電圧に基づいて、前記第１抵抗膜体と前記第２抵抗膜体との接触位置の座標データ、または、前記第３抵抗膜体と前記第４抵抗膜体との接触位置の座標データを算出することを特徴とする。
【００２０】
また本発明は、前記入力装置と、
前記入力装置の前記第２タッチパネルに対して対向配置され、前記記憶部から前記座標データを取出して、該座標データに基づく画像を表示する表示部と、を備えることを特徴とする表示装置である。
【発明の効果】
【００２１】
本発明によれば、入力装置は、絶縁体を介して対向配置される第１タッチパネルと第２タッチパネルとを有する２層構造の抵抗膜式入力装置であり、第１検出部と、第２検出部と、算出部と、記憶部とを含む。第１タッチパネルは、押圧力が付与される第１抵抗膜体と、該第１抵抗膜体に対して第１間隔をあけて対向配置される第２抵抗膜体とを有する。第２タッチパネルは、第３抵抗膜体と、該第３抵抗膜体に対して第２間隔をあけて対向配置される第４抵抗膜体とを有する。第１検出部は、第１タッチパネルにおける第１抵抗膜体と第２抵抗膜体とが、接触状態および非接触状態のいずれの状態であるかを検出する。第２検出部は、第２タッチパネルにおける第３抵抗膜体と第４抵抗膜体とが、接触状態および非接触状態のいずれの状態であるかを検出する。
【００２２】
第１タッチパネルおよび第２タッチパネルにおける抵抗膜体間の接触必要押圧力は、押圧力が直接付与される上層側の第１タッチパネルが、下層側の第２タッチパネルよりも小さくなる。すなわち、本発明の入力装置において、入力操作の入力位置を算出（検出）するための接触必要押圧力は、押圧力が直接付与される第１タッチパネルにおける平板状の第１抵抗膜体の面方向に一定で、厚み方向に異なるようになっている。第１抵抗膜体の面方向に接触必要押圧力が一定となっているので、第１抵抗膜体に対する入力操作の自由度に制限が生じてしまうことを防止することができる。
【００２３】
また、本発明の入力装置では、比較的小さい押圧力の、指による入力操作が第１抵抗膜体になされた場合には、接触必要押圧力が小さい第１抵抗膜体と第２抵抗膜体とが接触状態であると第１検出部によって検出され、接触必要押圧力が大きい第３抵抗膜体と第４抵抗膜体とが非接触状態であると第２検出部によって検出されることになる。このような場合に、算出部は、第１抵抗膜体と第２抵抗膜体とが相互に接触する接触位置の座標データを入力がなされた指示入力の位置の座標データとして算出する。このようにして、本発明の入力装置は、接触必要押圧力が小さい上層側の第１タッチパネルによって、指による入力操作時のスムーズな入力操作性を確保して入力操作の入力位置に対応する座標データを算出（検出）することができる。
【００２４】
さらに、本発明の入力装置では、比較的大きい押圧力の、タッチペンによる入力操作が第１抵抗膜体になされた場合には、第１抵抗膜体と第２抵抗膜体とが接触状態であると第１検出部によって検出され、第３抵抗膜体と第４抵抗膜体とが接触状態であると第２検出部によって検出されることになる。このような場合に、算出部は、第１抵抗膜体と第２抵抗膜体との接触位置の座標データを算出することなく、第３抵抗膜体と第４抵抗膜体とが相互に接触する接触位置の座標データを入力がなされた指示入力の位置の座標データとして算出する。このようにして、本発明の入力装置は、下層側の第２タッチパネルによって、比較的大きい押圧力の、タッチペンによる入力操作の入力位置に対応する座標データを算出（検出）することができる。
【００２５】
ここで、第１抵抗膜体と第２抵抗膜体とが接触状態であると検出されているにもかかわらず、算出部は、第３抵抗膜体と第４抵抗膜体との接触位置の座標データのみを、入力がなされた指示入力の位置の座標データとして算出するので、タッチペンによる入力操作において、タッチペン以外の手の一部が、ユーザの意図に反して第１抵抗膜体に触れてしまった場合であっても、タッチペン以外の手の一部の接触位置の座標データを入力位置の座標データとして算出（検出）してしまうことを防止することができる。
【００２６】
また本発明によれば、第１抵抗膜体と第２抵抗膜体との間の第１間隔と、第３抵抗膜体と第４抵抗膜体との間の第２間隔とを比較すると、第２間隔が第１間隔よりも大きく設定されている。これによって、第１抵抗膜体と第２抵抗膜体との間の接触必要押圧力と、第３抵抗膜体と第４抵抗膜体との間の接触必要押圧力との差を大きくすることができる。これによって、タッチペンによる入力操作において、タッチペン以外の手の一部が、ユーザの意図に反して第１抵抗膜体に触れてしまった場合において、タッチペン以外の手の一部の接触位置の座標データを入力位置の座標データとして算出（検出）してしまうことを、より効果的に防止することができる。
【００２７】
また本発明によれば、入力装置は、第１抵抗膜体と第２抵抗膜体との間に等間隔をあけて配置される第１スペーサ部材と、第３抵抗膜体と第４抵抗膜体との間に等間隔をあけて配置される第２スペーサ部材とを、さらに含む。そして、第２スペーサ部材の配置間隔は、第１スペーサ部材の配置間隔よりも小さく設定されている。これによって、第１抵抗膜体と第２抵抗膜体との間の接触必要押圧力と、第３抵抗膜体と第４抵抗膜体との間の接触必要押圧力との差を大きくすることができる。これによって、タッチペンによる入力操作において、タッチペン以外の手の一部が、ユーザの意図に反して第１抵抗膜体に触れてしまった場合において、タッチペン以外の手の一部の接触位置の座標データを入力位置の座標データとして算出（検出）してしまうことを、より効果的に防止することができる。
【００２８】
また本発明によれば、算出部は、第１抵抗膜体および第２抵抗膜体のいずれか一方の抵抗膜体、または、第３抵抗膜体および第４抵抗膜体のいずれか一方の抵抗膜体に電圧を印加しながら、他方の抵抗膜体から検出される電圧に基づいて、第１抵抗膜体と第２抵抗膜体との接触位置の座標データ、または、第３抵抗膜体と第４抵抗膜体との接触位置の座標データを算出する。このようにして算出部は、第１抵抗膜体に押圧力が付与されることによる入力位置に対応する座標データを算出することができる。
【００２９】
また本発明によれば、表示装置は、前述の本発明の入力装置と、表示部とを備える。この表示装置の表示部は、入力装置の第２タッチパネルに対して対向配置され、算出部による算出結果の情報を表す算出情報である座標データを記憶部から取出して、該座標データに基づく画像を表示する。
【図面の簡単な説明】
【００３０】
【図１】本発明の一実施形態に係る表示装置３００の構成を示す分解斜視図である。
【図２】本発明の一実施形態に係る入力装置１００の構成を示す断面図である。
【図３】入力装置１００の構成を示す分解斜視図である。
【図４】入力装置１００の構成を示すブロック図である。
【図５】入力装置１００の動作を示すフローチャートである。
【図６】入力装置１００における待機状態の制御を説明するための図である。
【図７】第１検出部４Ａおよび第２検出部４Ｂの動作を説明するための図である。
【図８】算出部５の動作を説明するための図である。
【図９】算出部５の動作を説明するための図である。
【図１０】算出部５の動作を説明するための図である。
【図１１】算出部５の動作を説明するための図である。
【図１２】入力装置１００に対するユーザの指示入力動作の様子を示す図である。
【発明を実施するための形態】
【００３１】
（表示装置）
図１は、本発明の一実施形態に係る表示装置３００の構成を示す分解斜視図である。表示装置３００は、本発明の実施形態に係る入力装置１００と、表示部３０１とを含んで構成される。
【００３２】
表示部３０１は、液晶パネルなどからなり、後述する入力装置１００の第２タッチパネル２に対して対向配置される。この表示部３０１は、入力装置１００に対するユーザの入力操作による入力位置に基づいた画像を表示する。具体的には、表示部３０１は、入力装置１００が算出した、前記入力位置を表す座標データに基づいて、ユーザが入力装置１００に対して入力操作した手書き文字や図形などの画像を表示する。また、表示部３０１は、前記入力位置を表す座標データに基づいて、該座標データに対応した位置に配置される操作キーなどの機能を実行して画像を表示する。
【００３３】
（入力装置）
図２は、本発明の一実施形態に係る入力装置１００の構成を示す断面図である。図３は、入力装置１００の構成を示す分解斜視図である。図４は、入力装置１００の構成を示すブロック図である。なお、図３の分解斜視図では、便宜上、絶縁体３、第１ドットスペーサ１３、および第２ドットスペーサ２３を省略している。
【００３４】
入力装置１００は、電気的絶縁性を有する絶縁体３を介して対向配置される第１タッチパネル１と第２タッチパネル２とを有する２層構造の抵抗膜式入力装置であり、第１検出部４Ａと、第２検出部４Ｂと、算出部５と、ＡＤ（アナログ−デジタル）変換部６と、算出情報記憶部７と、ＳＷ（スイッチ）制御部８と、主制御部９とを含む。
【００３５】
第１タッチパネル１は、押圧力が付与される第１抵抗膜体１１と、該第１抵抗膜体１１に対して所定の第１間隔Ｈ１をあけて対向配置される第２抵抗膜体１２と、第１スペーサ部材である第１ドットスペーサ１３とを有する。
【００３６】
第１抵抗膜体１１は、矩形平板状に形成され、可撓性を有する透明樹脂フィルム（たとえばＰＥＴ（ポリエチレンテレフタレート）フィルム）上に、導電性を有する抵抗膜（たとえばＩＴＯ（Indium Tin Oxide）、ＳｎＯ２などからなる）が均一な厚みで形成されたものである。第１抵抗膜体１１は、たとえば厚みが０．１７〜０．１９ｍｍであり、１辺に平行な所定の第１方向（以下、「Ｘ方向」という）の長さが１４０〜１６０ｍｍであり、Ｘ方向に直交する第２方向（以下、「Ｙ方向」という）の長さが１９０〜２１０ｍｍである。
【００３７】
また、第１抵抗膜体１１には、Ｘ方向一端部にＹ方向に延びる第１電極１１１と、Ｘ方向他端部にＹ方向に延びる第２電極１１２とが形成されている。第１電極１１１は、スイッチＳＷＸ１を介してＧＮＤ（接地）に接続されている。第１電極１１１のＧＮＤへの接続路は、スイッチＳＷＸ１、スイッチＳＷＧ１および抵抗Ｒｐｄを介してＧＮＤに接続される接続路と、スイッチＳＷＸ１およびスイッチＳＷＧ２を介してＧＮＤに接続される接続路とがある。スイッチＳＷＸ１およびスイッチＳＷＧ１、または、スイッチＳＷＸ１およびＳＷＧ２がＯＦＦ（非導通状態）のとき、第１電極１１１は、ハイインピーダンス状態になる。スイッチＳＷＸ１およびスイッチＳＷＧ１、または、スイッチＳＷＸ１およびスイッチＳＷＧ２がＯＮ（導通状態）のとき、第１電極１１１の電位は、ＧＮＤになる。
【００３８】
第２電極１１２は、スイッチＳＷＸ２を介して基準電位Ｖｃｃを与える電源に接続されている。第２電極１１２は、スイッチＳＷＸ２がＯＦＦのとき、ハイインピーダンス状態になり、スイッチＳＷＸ２がＯＮのとき、電位がＶｃｃになる。
【００３９】
第１電極１１１および第２電極１１２の各電極に加えられる電位は、各スイッチがＯＮ時に第１電極１１１と第２電極１１２との間に電圧が加わるように設定すればよい。
【００４０】
第２抵抗膜体１２は、矩形平板状に形成され、可撓性を有する透明樹脂フィルム（たとえばＰＥＴ（ポリエチレンテレフタレート）フィルム）上に、導電性を有する抵抗膜（たとえばＩＴＯ（Indium Tin Oxide）、ＳｎＯ２などからなる）が均一な厚みで形成されたものである。この第２抵抗膜体１２は、第１抵抗膜体１１に対して所定の第１間隔Ｈ１をあけて対向配置される。前記第１間隔Ｈ１は、たとえば１〜５μｍに設定される。
【００４１】
また、第２抵抗膜体１２は、たとえば厚みが０．１７〜０．１９ｍｍであり、Ｘ方向の長さが１４０〜１６０ｍｍであり、Ｙ方向の長さが１９０〜２１０ｍｍである。
【００４２】
また、第２抵抗膜体１２には、Ｙ方向一端部にＸ方向に延びる第３電極１２１と、Ｙ方向他端部にＸ方向に延びる第４電極１２２とが形成されている。第３電極１２１は、スイッチＳＷＹ１を介してＧＮＤ（接地）に接続されている。第３電極１２１のＧＮＤへの接続路は、スイッチＳＷＹ１、スイッチＳＷＧ１および抵抗Ｒｐｄを介してＧＮＤに接続される接続路と、スイッチＳＷＹ１およびスイッチＳＷＧ２を介してＧＮＤに接続される接続路とがある。スイッチＳＷＹ１およびスイッチＳＷＧ１、または、スイッチＳＷＹ１およびＳＷＧ２がＯＦＦ（非導通状態）のとき、第３電極１２１は、ハイインピーダンス状態になる。スイッチＳＷＹ１およびスイッチＳＷＧ１、または、スイッチＳＷＹ１およびスイッチＳＷＧ２がＯＮ（導通状態）のとき、第３電極１２１の電位は、ＧＮＤになる。
【００４３】
第４電極１２２は、スイッチＳＷＹ２を介して基準電位Ｖｃｃを与える電源に接続されている。第４電極１２２は、スイッチＳＷＹ２がＯＦＦのとき、ハイインピーダンス状態になり、スイッチＳＷＹ２がＯＮのとき、電位がＶｃｃになる。
【００４４】
第３電極１２１および第４電極１２２の各電極に加えられる電位は、各スイッチがＯＮ時に第３電極１２１と第４電極１２２との間に電圧が加わるように設定すればよい。
【００４５】
第１抵抗膜体１１と第２抵抗膜体１２との間には、面方向に等間隔に複数の第１ドットスペーサ１３が配置されている。第１ドットスペーサ１３は、電気的絶縁性を有する材料（たとえばシリコン樹脂など）から形成される。第１ドットスペーサ１３の配置間隔Ｗ１は、たとえば１〜２ｍｍに設定される。第１ドットスペーサ１３の高さは、第１抵抗膜体１１と第２抵抗膜体１２との前記第１間隔Ｈ１と同程度の大きさに設定される。
【００４６】
第１ドットスペーサ１３は、第１抵抗膜体１１に対して押圧による入力操作がなされていない非入力状態において、第１抵抗膜体１１と第２抵抗膜体１２とが接触されることを防止するとともに、当該第１ドットスペーサ１３の面方向における配置間隔Ｗ１、または第１ドットスペーサ１３の高さの設定により、第１抵抗膜体１１と第２抵抗膜体１２とが接触するのに必要な押圧力である接触必要押圧力を調整することができる。
【００４７】
第２タッチパネル２は、第１タッチパネル１と絶縁体３を介して対向配置され、絶縁体３に面接触して設けられる第３抵抗膜体２１と、該第３抵抗膜体２１に対して所定の第２間隔Ｈ２をあけて対向配置される第４抵抗膜体２２と、第２スペーサ部材である第２ドットスペーサ２３とを有する。
【００４８】
第３抵抗膜体２１は、矩形平板状に形成され、可撓性を有する透明樹脂フィルム（たとえばＰＥＴ（ポリエチレンテレフタレート）フィルム）上に、導電性を有する抵抗膜（たとえばＩＴＯ（Indium Tin Oxide）、ＳｎＯ２などからなる）が均一な厚みで形成されたものである。第３抵抗膜体２１は、たとえば厚みが０．１７〜０．１９ｍｍであり、Ｘ方向の長さが１４０〜１６０ｍｍであり、Ｙ方向の長さが１９０〜２１０ｍｍである。
【００４９】
また、第３抵抗膜体２１には、Ｘ方向一端部にＹ方向に延びる第５電極２１１と、Ｘ方向他端部にＹ方向に延びる第６電極２１２とが形成されている。第５電極２１１は、スイッチＳＷＸ３を介してＧＮＤ（接地）に接続されている。第５電極２１１のＧＮＤへの接続路は、スイッチＳＷＸ３、スイッチＳＷＧ１および抵抗Ｒｐｄを介してＧＮＤに接続される接続路と、スイッチＳＷＸ３およびスイッチＳＷＧ２を介してＧＮＤに接続される接続路とがある。スイッチＳＷＸ３およびスイッチＳＷＧ１、または、スイッチＳＷＸ３およびＳＷＧ２がＯＦＦ（非導通状態）のとき、第５電極２１１は、ハイインピーダンス状態になる。スイッチＳＷＸ３およびスイッチＳＷＧ１、または、スイッチＳＷＸ３およびスイッチＳＷＧ２がＯＮ（導通状態）のとき、第５電極２１１の電位は、ＧＮＤになる。
【００５０】
第６電極２１２は、スイッチＳＷＸ４を介して基準電位Ｖｃｃを与える電源に接続されている。第６電極２１２は、スイッチＳＷＸ４がＯＦＦのとき、ハイインピーダンス状態になり、スイッチＳＷＸ４がＯＮのとき、電位がＶｃｃになる。
【００５１】
第５電極２１１および第６電極２１２の各電極に加えられる電位は、各スイッチがＯＮ時に第５電極２１１と第６電極２１２との間に電圧が加わるように設定すればよい。
【００５２】
第４抵抗膜体２２は、矩形平板状に形成され、透明ガラス基板上に、導電性を有する抵抗膜（たとえばＩＴＯ（Indium Tin Oxide）、ＳｎＯ２などからなる）が均一な厚みで形成されたものである。この第４抵抗膜体２２は、第３抵抗膜体２１に対して所定の第２間隔Ｈ２をあけて対向配置される。前記第２間隔Ｈ２は、第１抵抗膜体１１と第２抵抗膜体１２との間の前記第１間隔Ｈ１よりも大きく設定されることが好ましく、たとえば５〜１０μｍに設定される。
【００５３】
また、第４抵抗膜体２２は、たとえば厚みが０．１７〜０．１９ｍｍであり、Ｘ方向の長さが１４０〜１６０ｍｍであり、Ｙ方向の長さが１９０〜２１０ｍｍである。
【００５４】
また、第４抵抗膜体２２には、Ｙ方向一端部にＸ方向に延びる第７電極２２１と、Ｙ方向他端部にＸ方向に延びる第８電極２２２とが形成されている。第７電極２２１は、スイッチＳＷＹ３を介してＧＮＤ（接地）に接続されている。第７電極２２１のＧＮＤへの接続路は、スイッチＳＷＹ３、スイッチＳＷＧ１および抵抗Ｒｐｄを介してＧＮＤに接続される接続路と、スイッチＳＷＹ３およびスイッチＳＷＧ２を介してＧＮＤに接続される接続路とがある。スイッチＳＷＹ３およびスイッチＳＷＧ１、または、スイッチＳＷＹ３およびスイッチＳＷＧ２がＯＦＦ（非導通状態）のとき、第７電極２２１は、ハイインピーダンス状態になる。スイッチＳＷＹ３およびスイッチＳＷＧ１、または、スイッチＳＷＹ３およびスイッチＳＷＧ２がＯＮ（導通状態）のとき、第７電極２２１の電位は、ＧＮＤになる。
【００５５】
第８電極２２２は、スイッチＳＷＹ４を介して基準電位Ｖｃｃを与える電源に接続されている。第８電極２２２は、スイッチＳＷＹ４がＯＦＦのとき、ハイインピーダンス状態になり、スイッチＳＷＹ４がＯＮのとき、電位がＶｃｃになる。
【００５６】
第７電極２２１および第８電極２２２の各電極に加えられる電位は、各スイッチがＯＮ時に第７電極２２１と第８電極２２２との間に電圧が加わるように設定すればよい。
【００５７】
第３抵抗膜体２１と第４抵抗膜体２２との間には、面方向に等間隔に複数の第２ドットスペーサ２３が配置されている。第２ドットスペーサ２３は、電気的絶縁性を有する材料（たとえばシリコン樹脂など）から形成される。第２ドットスペーサ２３の配置間隔Ｗ２は、第１抵抗膜体１１と第２抵抗膜体１２との間に配置される前記第１ドットスペーサ１３の配置間隔Ｗ１よりも小さく設定されることが好ましく、たとえば０．１〜０．２μｍに設定される。第２ドットスペーサ２３の高さは、第３抵抗膜体２１と第４抵抗膜体２２との前記第２間隔Ｈ２と同程度の大きさに設定される。
【００５８】
第２ドットスペーサ２３は、第１抵抗膜体１１に対して押圧による入力操作がなされていない非入力状態において、第３抵抗膜体２１と第４抵抗膜体２２とが接触することを防止するとともに、当該第２ドットスペーサ２３の面方向における配置間隔Ｗ２、または第２ドットスペーサ２３の高さの設定により、第３抵抗膜体２１と第４抵抗膜体２２とが接触するのに必要な押圧力である接触必要押圧力を調整することができる。なお、第１タッチパネル１に備えられる第１ドットスペーサ１３と、第２タッチパネル２に備えられる第２ドットスペーサ２３との位置関係については、配置間隔Ｗ１＞配置間隔Ｗ２を満たしていれば、第１ドットスペーサ１３と第２ドットスペーサ２３との位置関係は特に限定されない。
【００５９】
絶縁体３は、電気的絶縁性を有する材料（たとえばＰＥＴなど）からなる部材であり、矩形平板状に形成される。この絶縁体３は、第１タッチパネル１と第２タッチパネル２との間において、厚さ方向一方の面が第２抵抗膜体１２に面接触し、厚さ方向他方の面が第３抵抗膜体２１に面接触して設けられる。絶縁体３は、第１タッチパネル１と第２タッチパネル２との間の電気的絶縁性を保持する。
【００６０】
第１検出部４Ａは、第１タッチパネル１における第１抵抗膜体１１と第２抵抗膜体１２とが、接触状態および非接触状態のいずれの状態であるかを検出する。この第１検出部４Ａの検出動作については後述する。
【００６１】
第２検出部４Ｂは、第２タッチパネル２における第３抵抗膜体２１と第４抵抗膜体２２とが、接触状態および非接触状態のいずれの状態であるかを検出する。この第２検出部４Ｂの検出動作の詳細については後述する。
【００６２】
算出部５は、第１検出部４Ａおよび第２検出部４Ｂによる検出結果に基づいて、第１タッチパネル１の第１抵抗膜体１１に対する入力操作によって押圧力が付与された１または複数の押圧力付与位置のうち、入力がなされた位置として取扱う指示入力の入力位置の座標データを算出する。具体的には、算出部５は、第１検出部４Ａが接触状態であると検出し、かつ第２検出部４Ｂが非接触状態であると検出した場合には、第１抵抗膜体１１と第２抵抗膜体１２とが相互に接触する接触位置の座標データを、第１抵抗膜体１１に対する入力操作による指示入力の入力位置の座標データとして算出する。
【００６３】
また、算出部５は、第１検出部４Ａが接触状態であると検出し、かつ第２検出部４Ｂが接触状態であると検出した場合には、第１抵抗膜体１１と第２抵抗膜体１２との接触位置の座標データを算出することなく、第３抵抗膜体２１と第４抵抗膜体２２とが相互に接触する接触位置の座標データを、前記指示入力の入力位置の座標データとして算出する。なお、算出部５の算出動作の詳細については後述する。
【００６４】
ＡＤ変換部６は、算出部５が算出した算出結果（座標データ）のアナログデータを、デジタルデータに変換し、デジタルの算出情報として出力する。このようにしてＡＤ変換部６から出力されたデジタルの算出情報は、算出情報記憶部７に記憶される。
【００６５】
ＳＷ制御部８は、スイッチＳＷＸ１、スイッチＳＷＸ２、スイッチＳＷＸ３、スイッチＳＷＸ４、スイッチＳＷＹ１、スイッチＳＷＹ２、スイッチＳＷＹ３、スイッチＳＷＹ４、スイッチＳＷＧ１、およびスイッチＳＷＧ２の、各スイッチのＯＮ／ＯＦＦ（導通／非導通）の切り替えを制御する。なお、各スイッチは、ＯＮ／ＯＦＦが切り替え可能なものであればその種類は限定されず、リレーのような機械式スイッチであってもよく、バイポーラトランジスタやＦＥＴなどの電気式スイッチであってもよい。また、主制御部９は、第１検出部４Ａ、第２検出部４Ｂ、算出部５、およびＳＷ制御部８を統括的に制御する。
【００６６】
以上のように構成される２層構造の抵抗膜式入力装置である入力装置１００では、第１タッチパネル１および第２タッチパネル２における抵抗膜体間の接触必要押圧力は、押圧力が直接付与される上層側の第１タッチパネル１が、下層側の第２タッチパネル２よりも小さくなる。すなわち、本実施形態の入力装置１００において、入力操作の入力位置の座標データを算出（検出）するための接触必要押圧力は、押圧力が直接付与される第１タッチパネル１における平板状の第１抵抗膜体１１の面方向に一定で、厚み方向に異なるようになっている。第１抵抗膜体１１の面方向に接触必要押圧力が一定となっているので、第１抵抗膜体１１に対する入力操作の自由度に制限が生じてしまうことを防止することができる。
【００６７】
また、本実施形態の入力装置１００では、比較的小さい押圧力の、指による入力操作が第１抵抗膜体１１になされた場合には、接触必要押圧力が小さい第１抵抗膜体１１と第２抵抗膜体１２とが接触状態であると第１検出部４Ａによって検出され、接触必要押圧力が大きい第３抵抗膜体２１と第４抵抗膜体２２とが非接触状態であると第２検出部４Ｂによって検出されることになる。このような場合に、算出部５は、第１抵抗膜体１１と第２抵抗膜体１２とが相互に接触する接触位置の座標データを、入力がなされた指示入力の位置の座標データとして算出する。このようにして、本実施形態の入力装置１００は、接触必要押圧力が小さい上層側の第１タッチパネル１によって、指による入力操作時のスムーズな入力操作性を確保して入力操作の入力位置に対応する座標データを算出（検出）することができる。
【００６８】
さらに、本実施形態の入力装置１００では、比較的大きい押圧力の、タッチペンによる入力操作が第１抵抗膜体１１になされた場合には、第１抵抗膜体１１と第２抵抗膜体１２とが接触状態であると第１検出部４Ａによって検出され、第３抵抗膜体２１と第４抵抗膜体２２とが接触状態であると第２検出部４Ｂによって検出されることになる。このような場合に、算出部５は、第１抵抗膜体１１と第２抵抗膜体１２との接触位置の座標データを算出することなく、第３抵抗膜体２１と第４抵抗膜体２２とが相互に接触する接触位置の座標データを、入力がなされた指示入力の位置の座標データとして算出する。このようにして、本実施形態の入力装置１００は、下層側の第２タッチパネル２によって、比較的大きい押圧力の、タッチペンによる入力操作の入力位置の座標データを算出（検出）することができる。
【００６９】
図５は、入力装置１００の動作を示すフローチャートである。この図５を用いて本実施形態の入力装置１００の動作について説明する。
【００７０】
ステップＳ１では、入力装置１００の電源がＯＮになる、または所定時間経過しても入力操作が行われていない場合に、主制御部９は、ＳＷ制御部８に待機状態への移行制御をさせる指示信号を送信し、ステップＳ２に進む。
【００７１】
ステップＳ２では、ＳＷ制御部８は、各スイッチを制御して待機状態への制御を行う。図６は、入力装置１００における待機状態の制御を説明するための図である。ＳＷ制御部８は、主制御部９からの待機状態への移行制御の指示信号を受信すると、図６に示すように、スイッチＳＷＸ２、スイッチＳＷＹ１、スイッチＳＷＸ４、スイッチＳＷＹ３、およびスイッチＳＷＧ１をＯＮにし、その他の各スイッチをＯＦＦにする。このようなＳＷ制御部８による各スイッチの制御によって、第２電極１１２および第６電極２１２の電位がＶｃｃになり、第３電極１２１および第７電極２２１の電位が抵抗Ｒｐｄを通したＧＮＤになる。
【００７２】
次にステップＳ３では、主制御部９は、第１検出部４Ａに第１抵抗膜体１１と第２抵抗膜体１２とが接触状態であるか否かの検出を行わせる検出開始信号を送信する。図７は、第１検出部４Ａおよび第２検出部４Ｂの動作を説明するための図である。検出開始信号を受信した第１検出部４Ａは、第３電極１２１の電位の変化を検知することによって、第１抵抗膜体１１と第２抵抗膜体１２とが接触状態であるか否かの検出を行う。
【００７３】
図７に示すように、第１抵抗膜体１１と第２抵抗膜体１２とが接触状態であった場合には、第１抵抗膜体１１の抵抗値をＲ１１、第２抵抗膜体１２の抵抗値をＲ１２とすると、第３電極１２１の電位Ｖ１２１は、下記式（１）で表すことができる。
Ｖ１２１＝（Ｖｃｃ−ＧＮＤ）×Ｒｐｄ／（Ｒ１１＋Ｒ１２＋Ｒｐｄ）  …（１）
【００７４】
式（１）において、Ｒ１１，Ｒ１２＜＜Ｒｐｄであるので、第１抵抗膜体１１と第２抵抗膜体１２とが接触状態であった場合には、第３電極１２１の電位が（Ｖｃｃ−ＧＮＤ）になる。すなわち、第３電極１２１の電位は、待機状態においてＧＮＤであったのに対して、第１抵抗膜体１１と第２抵抗膜体１２とが接触状態になることによって（Ｖｃｃ−ＧＮＤ）に変化することになる。
【００７５】
第１検出部４Ａは、上記のような第３電極１２１の電位の変化を検知して、第１抵抗膜体１１と第２抵抗膜体１２とが接触状態であるか否かの検出を行う。第１検出部４Ａが接触状態であると検出した場合にはステップＳ４に進む。また、第１検出部４Ａが、第１抵抗膜体１１と第２抵抗膜体１２とが接触状態ではなく非接触状態であると検出した場合には、第１抵抗膜体１１への入力操作が行われていないと判断し、ステップＳ３を繰り返して待機状態を維持する。
【００７６】
ステップＳ４では、主制御部９は、第２検出部４Ｂに第３抵抗膜体２１と第４抵抗膜体２２とが接触状態であるか否かの検出を行わせる検出開始信号を送信する。検出開始信号を受信した第２検出部４Ｂは、第７電極２２１の電位の変化を検知することによって、第３抵抗膜体２１と第４抵抗膜体２２とが接触状態であるか否かの検出を行う。
【００７７】
図７に示すように、第３抵抗膜体２１と第４抵抗膜体２２とが接触状態であった場合には、第３抵抗膜体２１の抵抗値をＲ２１、第４抵抗膜体２２の抵抗値をＲ２２とすると、第７電極２２１の電位Ｖ２２１は、下記式（２）で表すことができる。
Ｖ２２１＝（Ｖｃｃ−ＧＮＤ）×Ｒｐｄ／（Ｒ２１＋Ｒ２２＋Ｒｐｄ）  …（２）
【００７８】
式（２）において、Ｒ２１，Ｒ２２＜＜Ｒｐｄであるので、第３抵抗膜体２１と第４抵抗膜体２２とが接触状態であった場合には、第７電極２２１の電位が（Ｖｃｃ−ＧＮＤ）になる。すなわち、第７電極２２１の電位は、待機状態においてＧＮＤであったのに対して、第３抵抗膜体２１と第４抵抗膜体２２とが接触状態になることによって（Ｖｃｃ−ＧＮＤ）に変化することになる。
【００７９】
第２検出部４Ｂは、上記のような第７電極２２１の電位の変化を検知して、第３抵抗膜体２１と第４抵抗膜体２２とが接触状態であるか否かの検出を行う。第２検出部４Ｂが接触状態であると検出した場合にはステップＳ６に進む。また、第２検出部４Ｂが、第３抵抗膜体２１と第４抵抗膜体２２とが接触状態ではなく非接触状態であると検出した場合には、ステップＳ５に進む。
【００８０】
ステップＳ５では、主制御部９は、第１抵抗膜体１１に対する入力操作による指示入力の入力位置を算出させるための制御を行う。図８〜１１は、算出部５の動作を説明するための図である。図１２は、入力装置１００に対するユーザの指示入力動作の様子を示す図である。
【００８１】
図１２（ａ）に示すように、比較的小さい押圧力の、指４０１による入力操作が第１抵抗膜体１１になされた場合には、ステップＳ３において、接触必要押圧力が小さい第１抵抗膜体１１と第２抵抗膜体１２とが接触状態であると第１検出部４Ａによって検出され、ステップＳ４において、接触必要押圧力が大きい第３抵抗膜体２１と第４抵抗膜体２２とが非接触状態であると第２検出部４Ｂによって検出されることになる。
【００８２】
このような場合のステップＳ５において、主制御部９は、抵抗膜体間の接触位置算出用のスイッチ制御を、ＳＷ制御部８に行わせる。ＳＷ制御部８は、まず、第１抵抗膜体１１と第２抵抗膜体１２との接触位置のＸ方向の位置（Ｘ座標データ）を算出するためのスイッチ制御を行う。具体的には、ＳＷ制御部８は、図８に示すように、スイッチＳＷＸ１、スイッチＳＷＸ２、およびスイッチＳＷＧ２をＯＮにし、その他の各スイッチをＯＦＦにする。このようなＳＷ制御部８による各スイッチの制御によって、第２電極１１２の電位がＶｃｃになり、第１電極１１１の電位がＧＮＤになる。
【００８３】
そして、算出部５は、第３電極１２１の電位を検出し、その検出した電位を、第１抵抗膜体１１と第２抵抗膜体１２との接触位置ＰＰ１のＸ座標データの算出値として用いる。
【００８４】
図８に示すように、第１抵抗膜体１１と第２抵抗膜体１２との接触位置ＰＰ１のＸ座標データを示す、第２抵抗膜体１２の抵抗Ｒ１２を経由した第３電極１２１の電位ＶＰＰ１Ｘは、第１電極１１１と接触位置ＰＰ１との間における第１抵抗膜体１１の抵抗値をＲ１１１とし、第２電極１１２と接触位置ＰＰ１との間における第１抵抗膜体１１の抵抗値をＲ１１２とすると、下記式（３）で表すことができる。
ＶＰＰ１Ｘ＝（Ｖｃｃ−ＧＮＤ）×Ｒ１１１／（Ｒ１１１＋Ｒ１１２）  …（３）
【００８５】
第１電極１１１と接触位置ＰＰ１との間の距離と、式（３）におけるＲ１１１／（Ｒ１１１＋Ｒ１１２）とは比例関係にあるので、ＶＰＰ１Ｘは、第１電極１１１と接触位置ＰＰ１との間の距離に比例する。したがって、ＶＰＰ１Ｘを接触位置ＰＰ１のＸ座標データとして取り扱うことができる。
【００８６】
次に、ＳＷ制御部８は、第１抵抗膜体１１と第２抵抗膜体１２との接触位置ＰＰ１のＹ方向の位置（Ｙ座標データ）を算出するためのスイッチ制御を行う。具体的には、ＳＷ制御部８は、図９に示すように、スイッチＳＷＹ１、スイッチＳＷＹ２、およびスイッチＳＷＧ２をＯＮにし、その他の各スイッチをＯＦＦにする。このようなＳＷ制御部８による各スイッチの制御によって、第４電極１２２の電位がＶｃｃになり、第３電極１２１の電位がＧＮＤになる。
【００８７】
そして、算出部５は、第１電極１１１の電位を検出し、その検出した電位を、第１抵抗膜体１１と第２抵抗膜体１２との接触位置ＰＰ１のＹ座標データの算出値として用いる。
【００８８】
図９に示すように、第１抵抗膜体１１と第２抵抗膜体１２との接触位置ＰＰ１のＹ座標データを示す、第１抵抗膜体１１の抵抗Ｒ１１１を経由した第１電極１１１の電位ＶＰＰ１Ｙは、第３電極１２１と接触位置ＰＰ１との間における第２抵抗膜体１２の抵抗値をＲ１２１とし、第４電極１２２と接触位置ＰＰ１との間における第２抵抗膜体１２の抵抗値をＲ１２２とすると、下記式（４）で表すことができる。
ＶＰＰ１Ｙ＝（Ｖｃｃ−ＧＮＤ）×Ｒ１２１／（Ｒ１２１＋Ｒ１２２）  …（４）
【００８９】
第３電極１２１と接触位置ＰＰ１との間の距離と、式（４）におけるＲ１２１／（Ｒ１２１＋Ｒ１２２）とは比例関係にあるので、ＶＰＰ１Ｙは、第３電極１２１と接触位置ＰＰ１との間の距離に比例する。したがって、ＶＰＰ１Ｙを接触位置ＰＰ１のＹ座標データとして取り扱うことができる。
【００９０】
以上のように、接触必要押圧力が小さい第１抵抗膜体１１と第２抵抗膜体１２とが接触状態であると第１検出部４Ａによって検出され、接触必要押圧力が大きい第３抵抗膜体２１と第４抵抗膜体２２とが非接触状態であると第２検出部４Ｂによって検出された後のステップＳ５において、算出部５は、第１抵抗膜体１１と第２抵抗膜体１２とが相互に接触する接触位置ＰＰ１のＸ，Ｙ座標データを示す値として、式（３）で表される電位ＶＰＰ１Ｘ、および式（４）で表される電位ＶＰＰ１Ｙを算出する。このようにして、本実施形態の入力装置１００は、接触必要押圧力が小さい上層側の第１タッチパネル１によって、指４０１による入力操作時のスムーズな入力操作性を確保して入力操作の入力位置を算出（検出）することができる。
【００９１】
図１２（ｂ）に示すように、比較的大きい押圧力の、タッチペン４０２による入力操作が第１抵抗膜体１１になされた場合には、ステップＳ３において、第１抵抗膜体１１と第２抵抗膜体１２とが接触状態であると第１検出部４Ａによって検出され、ステップＳ４において、第３抵抗膜体２１と第４抵抗膜体２２とが接触状態であると第２検出部４Ｂによって検出されることになる。
【００９２】
このような場合のステップＳ６では、算出部５は、第１抵抗膜体１１と第２抵抗膜体１２との接触位置ＰＰ１の座標データを算出することなく、第３抵抗膜体２１と第４抵抗膜体２２とが相互に接触する接触位置ＰＰ２の座標データを指示入力の位置の座標データとして算出する。このようにして、本実施形態の入力装置１００は、下層側の第２タッチパネル２によって、比較的大きい押圧力の、タッチペン４０２による入力操作の入力位置の座標データを算出（検出）することができる。
【００９３】
ここで、第１抵抗膜体１１と第２抵抗膜体１２とが接触状態であると検出されているにもかかわらず、算出部５は、第３抵抗膜体２１と第４抵抗膜体２２との接触位置ＰＰ２の座標データのみを指示入力の位置の座標データとして算出するので、タッチペン４０２による入力操作において、タッチペン４０２以外の手の一部である指４０１が、ユーザの意図に反して第１抵抗膜体１１に触れてしまった場合であっても、タッチペン４０２以外の手の一部である指４０１の接触位置ＰＰ１の座標データを入力位置の座標データとして算出（検出）してしまうことを防止することができる。
【００９４】
具体的には、ステップＳ６では、主制御部９は、抵抗膜体間の接触位置算出用のスイッチ制御を、ＳＷ制御部８に行わせる。ＳＷ制御部８は、まず、第３抵抗膜体２１と第４抵抗膜体２２との接触位置のＸ方向の位置（Ｘ座標データ）を算出するためのスイッチ制御を行う。具体的には、ＳＷ制御部８は、図１０に示すように、スイッチＳＷＸ３、スイッチＳＷＸ４、およびスイッチＳＷＧ２をＯＮにし、その他の各スイッチをＯＦＦにする。このようなＳＷ制御部８による各スイッチの制御によって、第６電極２１２の電位がＶｃｃになり、第５電極２１１の電位がＧＮＤになる。
【００９５】
そして、算出部５は、第７電極２２１の電位を検出し、その検出した電位を、第３抵抗膜体２１と第４抵抗膜体２２との接触位置ＰＰ２のＸ座標データの算出値として用いる。
【００９６】
図１０に示すように、第３抵抗膜体２１と第４抵抗膜体２２との接触位置ＰＰ２のＸ座標データを示す、第４抵抗膜体２２の抵抗Ｒ２２を経由した第７電極２２１の電位ＶＰＰ２Ｘは、第５電極２１１と接触位置ＰＰ２との間における第３抵抗膜体２１の抵抗値をＲ２１１とし、第６電極２１２と接触位置ＰＰ２との間における第３抵抗膜体２１の抵抗値をＲ２１２とすると、下記式（５）で表すことができる。
ＶＰＰ２Ｘ＝（Ｖｃｃ−ＧＮＤ）×Ｒ２１１／（Ｒ２１１＋Ｒ２１２）  …（５）
【００９７】
第５電極２１１と接触位置ＰＰ２との間の距離と、式（５）におけるＲ２１１／（Ｒ２１１＋Ｒ２１２）とは比例関係にあるので、ＶＰＰ２Ｘは、第５電極２１１と接触位置ＰＰ２との間の距離に比例する。したがって、ＶＰＰ２Ｘを接触位置ＰＰ２のＸ座標データとして取り扱うことができる。
【００９８】
次に、ＳＷ制御部８は、第３抵抗膜体２１と第４抵抗膜体２２との接触位置ＰＰ２のＹ方向の位置（Ｙ座標データ）を算出するためのスイッチ制御を行う。具体的には、ＳＷ制御部８は、図１１に示すように、スイッチＳＷＹ３、スイッチＳＷＹ４、およびスイッチＳＷＧ２をＯＮにし、その他の各スイッチをＯＦＦにする。このようなＳＷ制御部８による各スイッチの制御によって、第８電極２２２の電位がＶｃｃになり、第７電極２２１の電位がＧＮＤになる。
【００９９】
そして、算出部５は、第５電極２１１の電位を検出し、その検出した電位を、第３抵抗膜体２１と第４抵抗膜体２２との接触位置ＰＰ２のＹ座標データの算出値として用いる。
【０１００】
図１１に示すように、第３抵抗膜体２１と第４抵抗膜体２２との接触位置ＰＰ２のＹ座標データを示す、第３抵抗膜体２１の抵抗Ｒ２１１を経由した第５電極２１１の電位ＶＰＰ２Ｙは、第７電極２２１と接触位置ＰＰ２との間における第４抵抗膜体２２の抵抗値をＲ２２１とし、第８電極２２２と接触位置ＰＰ２との間における第４抵抗膜体２２の抵抗値をＲ２２２とすると、下記式（６）で表すことができる。
ＶＰＰ２Ｙ＝（Ｖｃｃ−ＧＮＤ）×Ｒ２２１／（Ｒ２２１＋Ｒ２２２）  …（６）
【０１０１】
第７電極２２１と接触位置ＰＰ２との間の距離と、式（６）におけるＲ２２１／（Ｒ２２１＋Ｒ２２２）とは比例関係にあるので、ＶＰＰ２Ｙは、第７電極２２１と接触位置ＰＰ２との間の距離に比例する。したがって、ＶＰＰ２Ｙを接触位置ＰＰ２のＹ座標データとして取り扱うことができる。
【０１０２】
以上のように、接触必要押圧力が小さい第１抵抗膜体１１と第２抵抗膜体１２とが接触状態であると第１検出部４Ａによって検出され、接触必要押圧力が大きい第３抵抗膜体２１と第４抵抗膜体２２とが接触状態であると第２検出部４Ｂによって検出された後のステップＳ６において、算出部５は、第３抵抗膜体２１と第４抵抗膜体２２とが相互に接触する接触位置ＰＰ２のＸ，Ｙ座標データを示す値として、式（５）で表される電位ＶＰＰ２Ｘ、および式（６）で表される電位ＶＰＰ２Ｙを算出する。このようにして、本実施形態の入力装置１００は、下層側の第２タッチパネル２によって、比較的大きい押圧力の、タッチペン４０２による入力操作の入力位置の座標データを算出（検出）することができる。
【０１０３】
ステップＳ５およびステップＳ６において算出された、電位ＶＰＰ１Ｘ、電位ＶＰＰ１Ｙ、電位ＶＰＰ２Ｘ、および電位ＶＰＰ２Ｙは、ＡＤ変換部６によってデジタルの電位データに変換され、この変換されたデジタル電位のデータは、算出情報記憶部７に送られる。そして、ステップＳ７では、算出情報記憶部７は、ＡＤ変換部６から送られてきたデジタル電位のデータを、入力操作の入力位置の座標データを示す算出情報として記憶する。
【０１０４】
このようにして算出情報記憶部７に記憶された算出情報は、表示装置３００の表示部３０１によって取出される。そして、表示部３０１は、算出情報記憶部７から取出した算出情報に基づいて、画像を表示することができる。
【符号の説明】
【０１０５】
１  第１タッチパネル
２  第２タッチパネル
３  絶縁体
４Ａ  第１検出部
４Ｂ  第２検出部
５  算出部
６  ＡＤ変換部
７  算出情報記憶部
８  ＳＷ制御部
９  主制御部
１１  第１抵抗膜体
１２  第２抵抗膜体
１３  第１ドットスペーサ
２１  第３抵抗膜体
２２  第４抵抗膜体
２３  第２ドットスペーサ
１００  入力装置
１１１  第１電極
１１２  第２電極
１２１  第３電極
１２２  第４電極
２１１  第５電極
２１２  第６電極
２２１  第７電極
２２２  第８電極
３００  表示装置
３０１  表示部
【図１】
2013206170.tif 000003
【図２】
2013206170.tif 000004
【図３】
2013206170.tif 000005
【図４】
2013206170.tif 000006
【図５】
2013206170.tif 000007
【図６】
2013206170.tif 000008
【図７】
2013206170.tif 000009
【図８】
2013206170.tif 000010
【図９】
2013206170.tif 000011
【図１０】
2013206170.tif 000012
【図１１】
2013206170.tif 000013
【図１２】
2013206170.tif 000014